(57)【要約】【課題】マイク孔１１からの静電気の侵入を防止する。【解決手段】マイク９をリモコンケース４に内蔵したリモコン装置において、前記リモコンケースは前ケース２と後ケース３で形成し、マイク９の前面略中央には受信部１６を有し、前ケースの前面にマイク孔１１を有し、マイク孔の後部に円筒状のマイク取付壁１２を立設し、マイク取付壁内にマイクの周囲を包囲するマイクパッキン１７を備え、受信部前方のマイクパッキン前面にはパッキン孔２１を形成し、マイク孔はパッキン孔よりも下方に連通して設けることで、リモコン装置の奥行き寸法を薄くしても、マイク孔からの静電気の侵入を防止して、外観を向上すると共に、コストダウンを行うことができる。【選択図】図６
2019145890.tif 000002
【特許請求の範囲】
【請求項１】
マイクをリモコンケースに内蔵したリモコン装置において、
前記リモコンケースは前ケースと後ケースで形成し、
前記マイクの前面略中央には受信部を有し、
前記前ケースの前面にマイク孔を有し、
前記マイク孔の後部に円筒状のマイク取付壁を立設し、
前記マイク取付壁内に、前記マイクの周囲を包囲するマイクパッキンを備え、
前記受信部前方のマイクパッキン前面にはパッキン孔を形成し、
前記マイク孔は前記パッキン孔よりも下方に連通して設けることを特徴とするリモコン装置。
【請求項２】
前記マイク取付壁の後方には電子部品を取り付ける基板を備え、
前記マイクパッキンに対向する前記前ケースの裏面に逆Ｕ字型のリブを立設し、
前記リブによって形成する空間の上部に前記パッキン孔を、
前記リブによって形成する空間の下部に前記マイク孔を形成し、
前記リブと前記基板の間に、前記マイクパッキンで包囲したマイクを押圧して固定することを特徴とする請求項１に記載のリモコン装置。
【発明の詳細な説明】
【技術分野】
【０００１】
本発明は、通話用のマイクを内蔵したリモコン装置に関するものである。
【背景技術】
【０００２】
従来より、この種のリモコン装置においては、特許文献１のように、プラスチック製のリモコンケース内に電気部品を装着するための銅配線が施された基板と、キー入力を認識するためのタクトキーと、このタクトキーに操作者の指の押圧を伝えるボタンを有し、操作者の指がボタンを操作したときに、リモコンケースとボタンの隙間から静電気が侵入して基板や電気部品を破壊することを防止するために、基板の表面に絶縁シートを貼り付けたり、基板とボタンの距離を大きくとることで、静電気が原因の故障を防止するものであった。（例えば、特許文献１参照）
【０００３】
また、図7の従来例のように、前記ボタンに比較して使用者が触れる頻度は少ないが、通話用のマイク孔ａからマイクｂを介して基板ｃに静電気が侵入すること防止する必要がある。そこで、前記マイク孔ａを備える前ケースｄと前記マイクｂの間に内部カバーｅを設けることで、前記マイク孔ａから侵入する静電気を中間に位置する内部カバーｅに逃がして、マイクｂから基板ｃへ静電気が侵入することを防止するものであった。
【先行技術文献】
【特許文献】
【０００４】
【特許文献１】特開平１０−１０６３８０号公報
【発明の概要】
【発明が解決しようとする課題】
【０００５】
ところが、この種のリモコン装置は、奥行き寸法を薄くしてコンパクト化することで、外観を向上すると共に、コストダウンを行う課題がある。前者のように、絶縁シートを使用すればコストの大幅な上昇を招く。また、後者のように、内部カバーｅを使用したり、基板とボタン（前ケースｄ）の距離を大きくすれば、コストの上昇だけでなく、奥行き寸法が厚くなりコンパクト化や外観の向上の妨げとなるものだった。
【課題を解決するための手段】
【０００６】
本発明は上記課題を解決するため、マイクをリモコンケースに内蔵したリモコン装置において、前記リモコンケースは前ケースと後ケースで形成し、前記マイクの前面略中央には受信部を有し、前記前ケースの前面にマイク孔を有し、前記マイク孔の後部に円筒状のマイク取付壁を立設し、前記マイク取付壁内に、前記マイクの周囲を包囲するマイクパッキンを備え、前記受信部前方のマイクパッキン前面にはパッキン孔を形成し、前記マイク孔は前記パッキン孔よりも下方に連通して設ける。
【発明の効果】
【０００７】
リモコン装置の奥行き寸法を薄くしても、マイク孔からの静電気の侵入を防止して、外観を向上すると共に、コストダウンを行うことができる。
【図面の簡単な説明】
【０００８】
【図１】本発明の一実施形態のリモコン装置の分解斜視図。
【図２】同前ケースの背面図。
【図３】同マイクの平面図（Ａ）と正面図（Ｂ）。
【図４】同マイクパッキンの背面図（Ａ）と平面図（Ｂ）と断面図。
【図５】同前ケース背面の要部拡大図。
【図６】同要部拡大断面図。
【図７】従来例の拡大断面図。
【発明を実施するための形態】
【０００９】
次に、本発明の一実施形態を、インターホン機能付給湯機で使用するリモコン装置で、図面に基づいて説明する。
【００１０】
リモコン装置１は、内蔵部品の前面側を覆う樹脂製の前ケース２と、後面側を覆う樹脂製の後ケース３とで構成される薄い箱状のリモコンケース４に、液晶表示部５や通話スイッチを含む複数のスイッチ６などの電子部品を装着するための銅配線が施された電装基板７やスピーカー８、マイク９等を内蔵し、前ケース２の前面側には複数の操作キー１０を押圧自在に嵌め込んで取り付けられている。
【００１１】
前ケース２は左端下隅裏面に直径３ｍｍのマイク孔１１を備え、このマイク孔１１の後部に円筒状のマイク取付壁１２を立設し、このマイク取付壁１２内に背面側から円盤状の前記マイク９が固定される。このマイク９の背面または側面からはリード線１３が半田付けで接続され、このリード線１３の他端には端子１４を有している。この端子１４は前記基板7の背面に備えたコネクタ１５に接続している。前記マイク９は前面の略中心に音声を検出する受信部１６を有している。
【００１２】
１７は前記マイク９の周囲を柔軟なゴムで包囲するマイクパッキンで、マイク９の前面側に位置し、背面が凹状の前パッキン１８と、マイク９の背面側に位置し、筒状の前面内にマイク９を装着する後パッキン１９を、連結部２０で連結して一体に一部品として成型されている。また、前記受信部１６前方の前記前パッキン１８にはパッキン孔２１を形成することで、受信部１６の前方を開口している。また、後パッキン１９にマイク９を装着後に前パッキン１８を被せてマイク９の周囲を包囲する。また、後パッキン１９の側面には前記リード線１３を引き出すためのパッキン切欠き２２を備えている。
【００１３】
２３は前記前ケース２裏面のマイク取付壁１２内側に逆Ｕ字型に立設したリブで、前記マイク孔１１とパッキン孔２１の間を連通する空間２４を形成する。これによって、マイク孔１１から侵入する静電気を図６の破線矢印で示すように下方から上方へ蛇行させることで、静電気がマイク９から侵入することを防止する。また、マイク孔１１とパッキン孔２１の間を連通する空間２４を直線状にするこで、通話性能を向上することができる。また、前ケース２の成型時に前ケース２前面側に発生するヒケ（窪み）を少なくすることができる。
【００１４】
組み立て手順について説明すれば、まずマイク９のリード線１３位置を後パッキン１９のパッキン切欠き２２に合わせて後パッキン１５に嵌め込む。次に、前パッキン１４をマイク９の前方を覆って嵌め合わせればマイクパッキン１７によってマイク９が包囲される。次に、マイクパッキン１７で覆ったマイク９のパッキン孔２１がマイク孔１１側（前方）になるようにマイク取付壁１２に押し込めば、マイク孔１１とパッキン孔２１の間を連通する空間２４を形成する。このとき、リード線１３とマイクパッキン１７の連結部２０はマイク取付壁１２に２箇所備える壁切欠き２５によってマイク取付壁１２の側面から引き出したり、突出することでマイクパッキン１７とマイク取付壁１２を密着させる。
【００１５】
次に、端子１４を基板７のコネクタ１５に差し込んだ後、前ケース２の裏面にスピーカー８と共にネジ止め等でセットし、後ケース３を前ケース２にネジ止めまたは嵌合等によって取り付ければ、後パッキン１５の背面を基板７の前面が押圧してマイク９を正しい位置にセットして組み立てが完了する。
【００１６】
このように、本件発明によれば、リモコン装置の奥行き寸法を薄くしても、マイク孔１１からの静電気の侵入を防止して、外観を向上すると共に、コストダウンを行うことができる。また、後パッキン１５の背面を基板７の前面が押圧しマイク９を密着してセットすることができる。
【００１７】
なお、本発明は上記一実施形態に限定されるものではなく、発明の要旨を変更しない範囲で改変可能なものである。
【符号の説明】
【００１８】
１  リモコン装置
２  前ケース
３  後ケース
４  リモコンケース
７  基板
９  マイク
１１  マイク孔
１２  マイク取付壁
１６  受信部
１７  マイクパッキン
２１  パッキン孔
【図１】
2019145890.tif 000003
【図２】
2019145890.tif 000004
【図３】
2019145890.tif 000005
【図４】
2019145890.tif 000006
【図５】
2019145890.tif 000007
【図６】
2019145890.tif 000008
【図７】
2019145890.tif 000009